【手続補正書】
【提出日】平成16年7月7日(2004.7.7)
【手続補正１】
【補正対象書類名】明細書
【補正対象項目名】発明の名称
【補正方法】変更
【補正の内容】
【発明の名称】昇降機構およびキャリア搬送装置並びに縦型熱処理装置
【手続補正２】
【補正対象書類名】明細書
【補正対象項目名】特許請求の範囲
【補正方法】変更
【補正の内容】
【特許請求の範囲】
【請求項１】
駆動軸と従動軸を軸継手を介して連結し、該駆動軸の回転に応じた従動軸の回転により昇降体を吊り材を介して昇降させる昇降機構において、上記駆動軸と従動軸に軸継手を中心とした同一円周上に位相をずらして互いに対向する方向へ延出した腕部を有する補助継手を設け、軸継手の故障時に上記補助継手の腕部が互いに係合するように構成したことを特徴とする昇降機構。
【請求項２】
駆動軸と従動軸を軸継手を介して連結し、該駆動軸の回転に応じた従動軸の回転により昇降体を吊り材を介して昇降させる昇降機構において、円周の一部に切欠部を有する遮光部を上記駆動軸と従動軸に両切欠部が軸方向に重ならないように位相をずらして設け、両遮光部を挟んで対向する位置の少なくとも一方に両切欠部を光が透過することにより軸継手の位相ずれを検知するための光センサを設けたことを特徴とする昇降機構。
【請求項３】
駆動軸と従動軸を軸継手を介して連結し、該駆動軸の回転に応じた従動軸の回転により昇降体を吊り材を介して昇降させる昇降機構において、上記駆動軸と従動軸に軸継手を中心とした同一円周上に位相をずらして互いに対向する方向へ延出した腕部を有する補助継手を設け、軸継手の故障時に上記補助継手の腕部が互いに係合するように構成し、上記軸継手は円周の一部に切欠部を有する遮光部を両切欠部が軸方向に重ならないように位相をずらして有し、両遮光部を挟んで対向する位置の少なくとも一方に両切欠部を光が透過することにより軸継手の位相ずれを検知するための光センサを設けたことを特徴とする昇降機構。
【請求項４】
駆動軸と従動軸を軸継手を介して連結し、該駆動軸の回転に応じた従動軸の回転により昇降体を吊り材を介して昇降させる昇降機構を有し、被処理体を収容したキャリアを上記昇降体に設けられた搬送アームにより支持して搬送するキャリア搬送装置において、上記駆動軸と従動軸に軸継手を中心とした同一円周上に位相をずらして互いに対向する方向へ延出した腕部を有する補助継手を設け、軸継手の故障時に上記補助継手の腕部が互いに係合するように構成し、上記補助継手は円周の一部に切欠部を有する遮光部を両切欠部が軸方向に重ならないように位相をずらして有し、両遮光部を挟んで対向する位置の少なくとも一方に両切欠部を光が透過することにより軸継手の位相ずれを検知するための光センサを設けたことを特徴とするキャリア搬送装置。
【請求項５】
被処理体を収容したキャリアを搬送するキャリア搬送装置を備えた縦型熱処理装置において、前記キャリア搬送装置は、駆動軸と従動軸を軸継手を介して連結し、駆動軸の回転に応じた従動軸の回転により昇降体を吊り材を介して昇降させる昇降機構を有し、昇降体に設けられた搬送アームによりキャリアを支持して搬送するように構成され、上記駆動軸と従動軸に軸継手を中心とした同一円周上に位相をずらして互いに対向する方向へ延出した腕部を有する補助継手を設け、軸継手の故障時に上記補助継手の腕部が互いに係合するように構成し、上記補助継手は円周の一部に切欠部を有する遮光部を両切欠部が軸方向に重ならないように位相をずらして有し、両遮光部を挟んで対向する位置の少なくとも一方に両切欠部を光が透過することにより軸継手の位相ずれを検知するための光センサを設けたことを特徴とする縦型熱処理装置。
【手続補正３】
【補正対象書類名】明細書
【補正対象項目名】０００１
【補正方法】変更
【補正の内容】
【０００１】
【発明の属する技術分野】
本発明は、昇降機構およびキャリア搬送装置並びに縦型熱処理装置に関する。
【手続補正４】
【補正対象書類名】明細書
【補正対象項目名】０００５
【補正方法】変更
【補正の内容】
【０００５】
本発明は、上述した課題を解決すべくなされたもので、軸継手にスリップや破損等の故障が発生したとしても駆動軸と従動軸の関係を保つことができ、昇降体の落下を防止することができる昇降機構およびキャリア搬送装置並びに縦型熱処理装置を提供することを目的とする。また、本発明は、軸継手のスリップや破損等による位相ずれを常時検知することができる昇降機構およびキャリア搬送装置並びに縦型熱処理装置を提供することを目的とする。
【手続補正５】
【補正対象書類名】明細書
【補正対象項目名】０００９
【補正方法】変更
【補正の内容】
【０００９】
請求項４に係る発明は、駆動軸と従動軸を軸継手を介して連結し、該駆動軸の回転に応じた従動軸の回転により昇降体を吊り材を介して昇降させる昇降機構を有し、被処理体を収容したキャリアを上記昇降体に設けられた搬送アームにより支持して搬送するキャリア搬送装置において、上記駆動軸と従動軸に軸継手を中心とした同一円周上に位相をずらして互いに対向する方向へ延出した腕部を有する補助継手を設け、軸継手の故障時に上記補助継手の腕部が互いに係合するように構成し、上記補助継手は円周の一部に切欠部を有する遮光部を両切欠部が軸方向に重ならないように位相をずらして有し、両遮光部を挟んで対向する位置の少なくとも一方に両切欠部を光が透過することにより軸継手の位相ずれを検知するための光センサを設けたことを特徴とする。これにより、軸継手にスリップや破損等の故障が発生したとしても従動軸が駆動軸により制動させることとなり、昇降体の落下を防止することが可能となると共に、軸継手のスリップや破損等による位相ずれを常時検知することが可能となる。
請求項５に係る発明は、被処理体を収容したキャリアを搬送するキャリア搬送装置を備えた縦型熱処理装置において、前記キャリア搬送装置は、駆動軸と従動軸を軸継手を介して連結し、駆動軸の回転に応じた従動軸の回転により昇降体を吊り材を介して昇降させる昇降機構を有し、昇降体に設けられた搬送アームによりキャリアを支持して搬送するように構成され、上記駆動軸と従動軸に軸継手を中心とした同一円周上に位相をずらして互いに対向する方向へ延出した腕部を有する補助継手を設け、軸継手の故障時に上記補助継手の腕部が互いに係合するように構成し、上記補助継手は円周の一部に切欠部を有する遮光部を両切欠部が軸方向に重ならないように位相をずらして有し、両遮光部を挟んで対向する位置の少なくとも一方に両切欠部を光が透過することにより軸継手の位相ずれを検知するための光センサを設けたことを特徴とする。
【手続補正６】
【補正対象書類名】明細書
【補正対象項目名】００３７
【補正方法】変更
【補正の内容】
【００３７】
（４）請求項４に係る発明によれば、キャリア搬送装置における駆動軸と従動軸に軸継手を中心とした同一円周上に位相をずらして互いに対向する方向へ延出した腕部を有する補助継手を設け、軸継手の故障時に上記補助継手の腕部が互いに係合するように構成し、上記補助継手は円周の一部に切欠部を有する遮光部を両切欠部が軸方向に重ならないように位相をずらして有し、両遮光部を挟んで対向する位置の少なくとも一方に両切欠部を光が透過することにより軸継手の位相ずれを検知するための光センサを設けたので、軸継手にスリップや破損等の故障が発生したとしても従動軸が駆動軸により制動されることとなり、昇降体の落下を防止することができると共に、軸継手のスリップや破損等による位相ずれを常時検知することができる。
（５）請求項５に係る発明は、被処理体を収容したキャリアを搬送するキャリア搬送装置を備えた縦型熱処理装置において、前記キャリア搬送装置は、駆動軸と従動軸を軸継手を介して連結し、駆動軸の回転に応じた従動軸の回転により昇降体を吊り材を介して昇降させる昇降機構を有し、昇降体に設けられた搬送アームによりキャリアを支持して搬送するように構成され、上記駆動軸と従動軸に軸継手を中心とした同一円周上に位相をずらして互いに対向する方向へ延出した腕部を有する補助継手を設け、軸継手の故障時に上記補助継手の腕部が互いに係合するように構成し、上記補助継手は円周の一部に切欠部を有する遮光部を両切欠部が軸方向に重ならないように位相をずらして有し、両遮光部を挟んで対向する位置の少なくとも一方に両切欠部を光が透過することにより軸継手の位相ずれを検知するための光センサを設けたので、軸継手にスリップや破損等の故障が発生したとしても従動軸が駆動軸により制動されることとなり、昇降体の落下を防止することができると共に、軸継手のスリップや破損等による位相ずれを常時検知することができる。